(57)【要約】【課題】所定サービスを提供する場内での設定作業を軽減可能な情報設定方法および情報設定プログラムを提供する。【解決手段】ユーザは、ソフトウェアをＰＣにインストールする（ステップＳ１０１）。次に、ソフトウェアを立ち上げ、個人情報やグループ設定情報、通信設定情報等を設定する（ステップＳ１０３）。次に、ＰＣはこれら各種情報および所定のプログラムを記録媒体１５１に書き込む（ステップＳ１０５）。次に、ユーザは、ＰＣから記録媒体を取り外し、デジカメにこの記録媒体をセットした状態でデジカメの電源を入れる（ステップＳ１０７）。デジカメの電源が入ると、記録媒体に記録されている所定のプログラムを実行する（ステップＳ１０９）。当該所定のプログラムが実行されると、デジカメは記録媒体１５１に記録されている各種情報を設定し、アクセスポイントを介して各種情報の内、必要な情報を通信管理サーバやプリントサービスサーバに送信する。【選択図】    図２
2004326340.tif 000002
【特許請求の範囲】
【請求項１】
コンピュータにインストール可能なソフトウェアを利用して入力または指定された各種情報および所定のプログラムを取り外し可能な記録媒体に記録する情報記録ステップと、
通信機能を備えた機器が前記記録媒体に記録されたデータを読み出し可能な状態で前記所定のプログラムを実行して、前記記録媒体に記録された前記各種情報を前記機器に設定するプログラム実行ステップと、
を有する情報設定方法。
【請求項２】
請求項１記載の情報設定方法であって、
前記プログラム実行ステップは、所定のサービスを提供する場内で前記機器の電源が入れられた際に行われる情報設定方法。
【請求項３】
請求項１又は２記載の情報設定方法であって、
前記プログラム実行ステップで前記機器に設定された前記各種情報を前記機器から所定の宛先に送信する情報送信ステップを有する情報設定方法。
【請求項４】
請求項１、２又は３記載の情報設定方法であって、
前記各種情報は、個人情報、グループ設定情報または通信設定情報である情報設定方法。
【請求項５】
コンピュータを利用して入力または指定された各種情報および所定のプログラムを取り外し可能な記録媒体に記録する情報記録機能を前記コンピュータに実現させるための情報設定プログラムであって、
前記所定のプログラムは、通信機能を備えた機器が前記記録媒体に記録されたデータを読み出し可能な状態で実行されると、前記記録媒体に記録された前記各種情報を前記機器に設定する情報設定プログラム。
【請求項６】
請求項５記載の情報設定プログラムであって、
前記所定のプログラムは、所定のサービスを提供する場内で前記機器の電源が入れられた際に実行される情報設定プログラム。
【請求項７】
請求項５又は６記載の情報設定プログラムであって、
前記所定のプログラムは、前記機器に設定された前記各種情報を前記機器から所定の宛先に送信する情報設定プログラム。
【請求項８】
請求項５、６又は７記載の情報設定プログラムであって、
前記各種情報は、個人情報、グループ設定情報および通信設定情報である情報設定プログラム。
【発明の詳細な説明】
【０００１】
【発明の属する技術分野】
本発明は、他の機器に設定する各種情報を予め設定するための情報設定方法および情報設定プログラムに関する。
【０００２】
【従来の技術】
従来、テーマパーク等で行われているサービスの１つに、デジタルカメラ等を用いて撮影した写真を退場前に受け取ることのできるサービスがある。このサービスを利用するユーザは、通信機能を備えたデジタルカメラ等（以下、単に「デジカメ」という。）によって撮影した画像データをサーバに送信し、プリント形態や受取時間等を予め指定しておくことで、指定した受取時間後に所望の写真を受け取ることができる。
【０００３】
当該サービスを実現するため、場内の数ヶ所には、サーバに接続され上記デジカメと通信可能なアクセスポイントが設置されている。デジカメは、当該アクセスポイントを介して画像データをサーバに送信する。なお、当該形態を応用した別のサービスとして、デジカメ同士がアクセスポイントを介してデータの送受信（Ｉｎｆｒａ型通信）を行うことができる。また、デジカメ間で直接データの送受信（Ａｄｈｏｃ型通信）を行うこともできる。したがって、デジカメの通信機能をＩｎｆｒａ型またはＡｄｈｏｃ型に設定しておくことで、ユーザは場内で友人等と画像データを交換することできる。
【０００４】
【特許文献１】
特開平１１−１６４２８２号公報
【０００５】
【発明が解決しようとする課題】
上記説明したサービスを利用するためには、ユーザは場内でデジカメを操作して、氏名、住所等の個人情報、友人等を含むグループ設定情報、Ｉｎｆｒａ型やＡｄｈｏｃ型といった通信設定情報等の各種情報を設定した後、サーバに当該情報を送らなければならない。しかし、デジカメはパーソナルコンピュータ等と比較して操作性の点で劣るため、これら各種情報の設定には時間がかかる。場内でこのような設定作業に時間を費やすことは時間の浪費とも考えられるため、場内で当該設定作業を行う必要なくサービスを利用できることが望ましい。
【０００６】
本発明は、上記従来の事情に鑑みてなされたものであって、操作性が比較的劣る機器を用いた設定作業を軽減可能な情報設定方法および情報設定プログラムを提供することを目的としている。
【０００７】
【課題を解決するための手段】
本発明の情報設定方法は、コンピュータにインストール可能なソフトウェアを利用して入力または指定された各種情報および所定のプログラムを取り外し可能な記録媒体に記録する情報記録ステップと、通信機能を備えた機器が前記記録媒体に記録されたデータを読み出し可能な状態で前記所定のプログラムを実行して、前記記録媒体に記録された前記各種情報を前記機器に設定するプログラム実行ステップと、を有する。したがって、ユーザが機器を利用して各種情報を設定する必要がないため、操作性が比較的劣る機器を用いた設定作業を軽減することができる。
【０００８】
本発明の情報設定方法は、前記プログラム実行ステップは、所定のサービスを提供する場内で前記機器の電源が入れられた際に行われる。したがって、所定サービスを提供する場内での設定作業を軽減することができる。
【０００９】
本発明の情報設定方法は、前記プログラム実行ステップで前記機器に設定された前記各種情報を前記機器から所定の宛先に送信する情報送信ステップを有することが望ましい。
【００１０】
本発明の情報設定方法は、前記各種情報は、個人情報、グループ設定情報または通信設定情報であることが望ましい。
【００１１】
また、本発明の情報設定プログラムは、コンピュータを利用して入力または指定された各種情報および所定のプログラムを取り外し可能な記録媒体に記録する情報記録機能を前記コンピュータに実現させるための情報設定プログラムであって、前記所定のプログラムは、通信機能を備えた機器が前記記録媒体に記録されたデータを読み出し可能な状態で実行されると、前記記録媒体に記録された前記各種情報を前記機器に設定する。
【００１２】
また、本発明の情報設定プログラムは、前記所定のプログラムは、所定のサービスを提供する場内で前記機器の電源が入れられた際に実行される。
【００１３】
また、本発明の情報設定プログラムは、前記所定のプログラムは、前記機器に設定された前記各種情報を前記機器から所定の宛先に送信する。
【００１４】
さらに、本発明の情報設定プログラムは、前記各種情報は、個人情報、グループ設定情報および通信設定情報である。
【００１５】
【発明の実施の形態】
図１は、本発明の一実施形態を説明するための写真プリントシステムを示す概略構成を示す図である。同図に示す写真プリントシステムは、無線ＬＡＮ等の通信機能を備えたデジタルカメラ（以下、単に「デジカメ」という。）１０１ａ，１０１ｂと、アクセスポイント１０３と、通信管理サーバ１０５と、プリントサービスサーバ１０７と、画像データベース（以下「画像ＤＢ」という。）１０９と、プリンタ１１１とを備える。なお、当該写真プリントシステムはテーマパーク等に設けられ、場内の数ヶ所にアクセスポイント１０３が設置されている。また、デジカメ１０１ａ，１０１ｂは特許請求の範囲の機器に該当する。以下の説明では、デジカメ１０１ａ，１０１ｂを合わせてデジカメ１０１と表現する。
【００１６】
本実施形態の写真プリントシステムによれば、ユーザがデジカメ１０１で撮像した画像データをアクセスポイント１０３を介してプリントサービスサーバ１０７に送信すれば画像ＤＢ１０９に蓄積され、プリントサービスサーバ１０７にプリント形態や受取時間等を予め指定しておけば、当該受付時間までにプリンタ１１１から所望の形態でプリントアウトされる。したがって、ユーザは、指定した受取時間後に所望の写真を受け取ることができる。
【００１７】
なお、デジカメ１０１のユーザが当該サービスを利用するためには、氏名、住所、性別、生年月日、取引銀行、口座番号等の個人情報をプリントサービスサーバ１０７に通知しておかなければならない。また、デジカメ内部の通信設定を変更することにより、アクセスポイント１０３を介して通信を行うＩｎｆｒａ型およびデジカメ間（デジカメ１０１ａ，１０１ｂ間）で直接データの送受信を行うＡｄｈｏｃ型のいずれかを選択することができる。したがって、デジカメ１０１のユーザは場内で友人等の画像データを交換することができる。
【００１８】
また、自分および友人等から構成されるグループを設定しておくことにより、画像データの交換を行うことのできるデジカメを制限することができる。デジカメ１０１のユーザは、グループ名や当該グループを構成するメンバーの識別情報等を含むグループ設定情報を予め通信管理サーバ１０５に登録しておく。当該登録を行っておけば、デジカメ１０１がＩｎｆｒａ型で通信を行う際に、通信管理サーバ１０５およびプリントサービスサーバ１０７、並びに、設定したグループのメンバーのみと通信を行うことができる。
【００１９】
このように、デジカメ１０１に設定する情報またはデジカメ１０１から通信管理サーバ１０５やプリントサービスサーバ１０７に設定する情報には、個人情報、通信設定情報、グループ設定情報等がある。本実施形態では、パーソナルコンピュータ等のコンピュータ（以下「ＰＣ」という。）にインストール可能なソフトウェアを利用してこれらの情報を入力または指定し、小型メモリカード等の取り外し可能な記録媒体１５１を介してデジカメ１０１に設定する。
【００２０】
前記ソフトウェアはＰＣからインターネット等のネットワークを介してダウンロード可能であり、特許請求の範囲の情報設定プログラムに該当する。当該ソフトウェアは、個人情報、通信設定情報、グループ設定情報等の入力または指定を受け付ける機能と、これら各種情報をデジカメ１０１が読み取り可能なように記録媒体１５１に記録する機能と、デジカメ１０１で実行可能な所定のプログラムを記録媒体１５１に記録する機能をＰＣに実現させるためのものである。所定のプログラムがデジカメ１０１で実行されると、記録媒体１５１に記録された各種情報がデジカメ１０１に設定され、デジカメ１０１からアクセスポイント１０３を介して通信管理サーバ１０５やプリントサービスサーバ１０７に送信される。
【００２１】
以下、ＰＣに前記ソフトウェアをダウンロードした後の情報設定方法について説明する。図２は、本発明の一実施形態を説明するための情報設定方法のフローを示す図である。まず、ユーザは、ダウンロードしたソフトウェアをＰＣにインストールする（ステップＳ１０１）。次に、ソフトウェアを立ち上げ、ユーザがＰＣを利用して個人情報やグループ設定情報、通信設定情報等を設定する（ステップＳ１０３）。次に、ＰＣはこれら設定された各種情報および所定のプログラムを記録媒体１５１に書き込む（ステップＳ１０５）。
【００２２】
次に、ユーザは、ＰＣから記録媒体１５１を取り外し、デジカメ１０１にこの記録媒体１５１をセットした状態でデジカメ１０１の電源を入れる（ステップＳ１０７）。なお、デジカメ１０１の電源は、例えば、テーマパーク等の上記サービスが提供される場内で入れられる。デジカメ１０１の電源が入ると、デジカメ１０１の図示しない処理演算部は、記録媒体１５１に記録されている所定のプログラムを実行する（ステップＳ１０９）。当該所定のプログラムが実行されると、デジカメ１０１は記録媒体１５１に記録されている各種情報を設定し、アクセスポイント１０３を介して各種情報の内、必要な情報を通信管理サーバ１０５やプリントサービスサーバ１０７に送信する。
【００２３】
なお、上記説明では、ＰＣにインストールしたソフトウェアを利用して各種情報を設定して、記録媒体１５１に書き込んでいるが、書面や電子メール、所定のサイトを利用して各種情報を設定することで、当該各種情報が記録された記録媒体を郵送等で受け取っても良い。
【００２４】
以上説明したように、本実施形態によれば、情報量の多い個人情報や、設定事項の多いグループ設定情報、通信設定情報等の各種情報をＰＣを利用して設定すれば、当該各種情報を記録媒体１５１を介してデジカメ１０１に設定することができる。その結果、テーマパーク等の所定サービスを提供する場内でこれら各種情報の設定作業を行う必要がなくなり、時間を節約することができる。
【００２５】
【発明の効果】
以上説明したように、本発明に係る情報設定方法および情報設定プログラムによれば、操作性が比較的劣る機器を用いた設定作業を軽減することができる。
【図面の簡単な説明】
【図１】本発明の一実施形態を説明するための写真プリントシステムを示す概略構成を示す図
【図２】本発明の一実施形態を説明するための情報設定方法のフローを示す図
【符号の説明】
１０１ａ，１０１ｂ  デジタルカメラ
１０３  アクセスポイント
１０５  通信管理サーバ
１０７  プリントサービスサーバ
１０９  画像データベース
１１１  プリンタ
１５１  記録媒体
【図１】
2004326340.tif 000003
【図２】
2004326340.tif 000004